(57)【要約】【課題】  本発明は大掛かりで高価な装置を要することなく、拡声器を使用して広範囲にわたって伝達することが可能な拡声器装置を提供すること。【解決手段】  本願発明による拡声器装置は、親拡声器と、上記親拡声器に対して離間・配置され上記親拡声器より出力された信号を受信して出力する子拡声器と、を具備したものであり、親拡声器とは別に子拡声器を設置しているので、親拡声器だけの場合に比べてより広範囲にわたって音声を伝達させることができる。【選択図】  図１
2007324938.tif 000002
【特許請求の範囲】
【請求項１】
親拡声器と、上記親拡声器に対して離間・配置され上記親拡声器より出力された信号を受信して出力する子拡声器と、を具備したことを特徴とする拡声器装置。
【請求項２】
請求項１記載の拡声器装置において、
上記子拡声器は音声遅延回路を備えていて、受信した後予め設定された遅延時間経過後に音声出力するように構成されているものであることを特徴とする拡声器装置。
【請求項３】
請求項２記載の拡声器装置において、
上記子拡声器には距離入力部が設けられていて、上記音声遅延回路は上記距離入力部によって入力された距離に応じてその遅延時間を可変可能に構成されていることを特徴とする拡声器装置。
【請求項４】
請求項１〜請求項３の何れかに記載の拡声器装置において、
上記子拡声器は上記親拡声器の向きと同じ向きに向けられていることを特徴とする拡声器装置。
【請求項５】
請求項１〜請求項４の何れかに記載の拡声器装置において、
上記子拡声器は複数台設置されていることを特徴とする拡声器装置。
【発明の詳細な説明】
【技術分野】
【０００１】
本発明は拡声器装置に係り、特に、親拡声器と子拡声器とを組み合わせることによって、より広範囲にわたって音声を伝達させることができるように工夫したものに関する。
【背景技術】
【０００２】
拡声器を使用して音声を伝達する場合には通常次のように行っている。まず、伝達主体の使用者が拡声器を把持して音声を発する。発せられた音声は拡声器によって拡声されて広範囲に伝達されるものである。
【０００３】
尚、拡声器を使用した通信装置の構成を開示するものとして、例えば、特許文献１、特許文献２等がある。
【０００４】
【特許文献１】特開２００３−２８３６４４号公報
【特許文献２】特開平０９−２０５４０５号公報
【発明の開示】
【発明が解決しようとする課題】
【０００５】
上記従来の構成によると次のような問題があった。
まず、伝達可能な範囲が制限されてしまい広い範囲に音声を伝達させることができないという問題があった。
又、スピーカ等を使用した装置が各種提案されているが、何れも構成が大掛かりであって複雑であり、同時に高価な装置になってしまうという問題があった。
【０００６】
本発明はこのような点に基づいてなされたものでその目的とするところは、大掛かりで高価な装置を要することなく、拡声器を使用して広範囲にわたって音声を伝達することが可能な拡声器装置を提供することにある。
【課題を解決するための手段】
【０００７】
上記目的を達成するべく本願発明の請求項１による拡声器装置は、親拡声器と、上記親拡声器に対して離間・配置され上記親拡声器より出力された信号を受信して出力する子拡声器と、を具備したことを特徴とするものである。
又、請求項２による拡声器装置は、請求項１記載の拡声器装置において、上記子拡声器は音声遅延回路を備えていて、受信した後予め設定された遅延時間経過後に音声出力するように構成されていることを特徴とするものである。
又、請求項３による拡声器装置は  請求項２記載の拡声器装置において、上記子拡声器には距離入力部が設けられていて、上記音声遅延回路は上記距離入力部によって入力された距離に応じてその遅延時間を可変可能に構成されていることを特徴とするものである。
又、請求項４による拡声器装置は、請求項１〜請求項３の何れかに記載の拡声器装置において、上記子拡声器は上記親拡声器の向きと同じ向きに向けられていることを特徴とするものである。
又、請求項５による拡声器装置は、請求項１〜請求項４の何れかに記載の拡声器装置において、上記子拡声器は複数台設置されていることを特徴とするものである。
【発明の効果】
【０００８】
以上述べたように本発明による拡声器装置によると、親拡声器と、上記親拡声器に対して離間・配置され上記親拡声器より出力された信号を受信して出力する子拡声器と、を具備した構成になっているので、まず、親拡声器とは別に子拡声器を設置しているので、親拡声器だけの場合に比べてより広範囲にわたって音声を伝達させることができる。
又、上記子拡声器が音声遅延回路を備えていて、受信した後予め設定された遅延時間経過後に音声出力するように構成された場合には、仮に、親拡声器側の音声が届くような場所にあっても、親拡声器側からの音声と子拡声器側からの音声が重複することになるので、同じ音声が二度聞こえてしまうような聴き取り難さをなくすことができる。
又、上記子拡声器に距離入力部が設けられていて、上記音声遅延回路は上記距離入力部によって入力された距離に応じてその遅延時間を可変可能に構成された場合には、子拡声器側において距離入力部を介して距離を入力すれば所定の遅延時間が自動的に設定されるものであり、例えば、子拡声器を移動させて距離が変動しても容易に対応することができる。
又、上記子拡声器が上記親拡声器の向きと同じ向きに向けられている場合には、子拡声器側らの音声と親拡声器側からの音声が衝突して不具合が発生するようなことを防止することができる。
又、上記子拡声器が複数台設置されている場合には、上記効果をより高めることができる。
【発明を実施するための最良の形態】
【０００９】
以下、図１乃至図４を参照して本発明の一実施の形態を説明する。図１に示すように、まず、親拡声器１がある。この親拡声器１は、複数人の聴衆者３に向かって設置されている。又、上記親拡声器１とは別に子拡声器５が所定の位置に設置されている。上記子拡声器５も上記親拡声器１と同じ方向に向いた状態で設置されている。上記所定位置とは次のようなものである。すなわち、上記子拡声器５は上記親拡声器１からの音声が届く範囲内であって親拡声器１から最も離間した距離の所定位置に設置されているものである。
【００１０】
上記親拡声器１は図２に示すような構成になっている。まず、マイクロフォン７があり、このマイクロフォン７より入力された音声はアンプ９によって増幅されて親拡声器本体１１を介して出力される。又、上記マイクロフォン７を介して入力された音声信号は変調回路１３を介して変調され、送信回路１５、アンテナ１７を介して送信される構成になっている。
【００１１】
一方、上記子拡声器５は図３に示すような構成になっている。まず、アンテナ２１があり、このアンテナ２１を介して、既に説明した親拡声器１側より送信された音声信号を受信する。上記アンテナ２１を介して受信された音声信号は受信回路２３を介して音声遅延回路２５に入力される。そして、アンプ２７を介して子拡声器本体２９より出力されるものである。
【００１２】
又、距離入力部３１が設置されていて、この距離入力部３１を介して親拡声器１と子拡声器５との間の距離を入力する。それによって、上記音声遅延回路２５が機能して、子拡声器本体２９より出力される音声の出力のタイミングを所定時間だけ遅延させるものである。すなわち、前述したように、子拡声器５は親拡声器１からの音声が届く範囲内であって親拡声器１から最も離間した距離の所定位置に設置されており、よって、そのような所定距離位置近傍にいる聴衆３には、親拡声器１からの音声が聞こえる場合がある。そのような場合であっても、子拡声器５からの音声出力を所定時間遅延させることにより、親拡声器１からの音声と子拡声器５からの音声を重畳させることができ、同じ音声が繰り返されることによる聞き取り難さをなくすことができる。
【００１３】
上記音声遅延回路２５による遅延の具体例を図４を参照して説明する。図４に示すように、例えば、親拡声器１と子拡声器５とが１７０ｍだけ離間していると仮定する。音速を３４０（ｍ／ｓｅｃ）とすると、遅延時間（ｔ）は次の式（Ｉ）に示すようなものとなる。
１７０ｍ÷３４０（ｍ／ｓｅｃ）＝０．５ｓｅｃ―――（Ｉ）
すなわち、遅延時間（ｔ）は０．５秒ということになる。よって、子拡声器５側においては、親拡声器１側からの音声信号を受信した後０．５秒後に子拡声器本体２９から音声を出力することになる。
【００１４】
以上本実施の形態によると次のような効果を奏することができる。
まず、親拡声器１とは別に子拡声器５を設置しているので、親拡声器１だけの場合に比べてより広範囲にわたって音声を伝達させることができる。
又、子拡声器５側においては、親拡声器１と子拡声器５との間の距離に応じて遅延時間を設定し、その遅延時間が経過した後に音声出力するようにしているので、仮に、親拡声器１側の音声が届くような場所であっても、親拡声器１側からの音声と重畳することになり、同じ音声が二度聞こえてしまうような聴き取り難さをなくすことができる。
又、子拡声器５側には距離入力部３１が設置されているので、子拡声器５を移動させて親拡声器１との間の距離が変動しても容易に対応することができる。
又、子拡声器５は親拡声器１と同じ方向に指向した状態で設置されているので、子拡声器５側らの音声と親拡声器１側からの音声が衝突して不具合が発生するようなことを防止することができる。
【００１５】
尚、本発明は前記一実施の形態に限定されるものではない。
まず、前記一実施の形態の場合には、子拡声器５を一台設置しているが、二台、三台以上設置する場合も想定される。
又、子拡声器５を二台設置する場合には、例えば、図１に仮想線で示すように、親拡声器１に対して等距離の位置であって、聴衆３を挟んで反対側に設置するような構成が考えられる。
又、それだけではなく、複数台の子拡声器５を親拡声器１に対して夫々異なる距離の位置に設置し、夫々の子拡声器５と親拡声器１との間の距離を入力することにより、夫々異なる遅延時間で音声出力するような構成も考えられる。
その他、図示した構成は一例である。
【産業上の利用可能性】
【００１６】
本発明は拡声器装置に係り、特に、親拡声器と子拡声器とを組み合わせることにより、広範囲にわたって伝達させることができるように工夫したものに関し、例えば、体育館やグラウンド等において多数の聴衆に音声を伝達するような場合に好適である。
【図面の簡単な説明】
【００１７】
【図１】本発明の一実施の形態を示す図で、拡声器装置の全体の構成を示す平面図である。
【図２】本発明の一実施の形態を示す図で、親拡声器の構成を示すブロック図である。
【図３】本発明の一実施の形態を示す図で、子拡声器の構成を示すブロック図である。
【図４】本発明の一実施の形態を示す図で、子拡声器の音声遅延回路の作用を説明するための図である。
【符号の説明】
【００１８】
１  親拡声器
３  聴衆者
５  子拡声器
７  マイクロフォン
９  アンプ
１１  親拡声器本体
１３  変調回路
１５  送信回路
１７  アンテナ
２１  アンテナ
２３  受信回路
２５  音声遅延回路
２７  アンプ
２９  子拡声器本体
３１  距離入力部
【図１】
2007324938.tif 000003
【図２】
2007324938.tif 000004
【図３】
2007324938.tif 000005
【図４】
2007324938.tif 000006